(57)【要約】      （修正有）【課題】各種サイズの本の開いたページ端またはページ上端と、それに見合う見台部分を、見台底板上に保管のクリップで一緒に挟み、手放しで読みやすい書見が出来る角度可変の折り畳み式見台を提供する。【解決手段】開いたページが元に戻るのを防ぐのに、ページ端または上端と見台を一緒にクリップで挟んで書見する。開いたページの片端または両端或いは上端をクリップで挟んで押さえるので、比較的平らに保たれるので見やすい。なお、クリップは見台底板２上に即座に出せるようにして保管するので紛失の心配が少ない。また、使用するクリップは、市販の物干し竿用シングルの竿ピンチ相当品で、万が一紛失しても家庭用の竿ピンチで簡単に補う事が出来る。見台はＢ−５〜Ａ−４フアイルサイズ範囲内の大きさで、市販の主たるサイズの本をカバーして手放しで書見出来る上、折り畳むとフアイルサイになる。材質は硬質紙、合成樹脂製が最適である。【選択図】図９
2016214800.tif 000002
【特許請求の範囲】
【請求項１】
見台で開いた本のページが元に戻るのを防ぐのに、ページ端或いはページ上端を見台と共にクリップで挟む方式を採用し、そのクリップを見台底板上に即座に取り出せるように常時保管することを特徴とした折り畳み式見台。
【請求項２】
見台の横巾がＡ−４フアイルの長辺程の巾になると、小さい文庫本は相当大きなクリップでないと届かないので挟めない。そこで横巾の一部分をＶ形や円弧形等にカットし、市販の竿ピンチ程の大きさのクリップで、大小の本を余裕を持って楽に挟めるようにしたことを特徴とした見台。
【請求項３】
クリップは市販の竿ピンチ相当品、または竿ピンチそのものが利用出来ることを特徴とした見台。
【発明の詳細な説明】
【発明の詳細な説明】
【技術分野】
【０００１】  見台の大きさはＢ−５〜Ａ−４フアイルサイズで、縦長型・横長型の２種類のタイプが書見時並びに取り扱い上適していると考えられる。
本発明は、Ａ−４フアイルサイズ範囲内の大きさの見台で、文庫本からＡ−４版本まで、ページ両端或いはページ上端の一部をクリップで挟み、見やすい状態で書見出来るようにした角度可変の折りたたみ式見台を提供する。
クリップは市販の竿ピンチ相当品２個を見台底板上に常備し、即座に出し入れ出来るようにする。
なお、見台のタイプにより扱い上一長一短はあるが、文庫本からＢ−５版本まで巾広く無理なくクリップ出来る見台として、Ａ−４フアイルサイズの長辺を横巾とする横長型見台が適している。
但し、広い横巾のままでは文庫本に竿ピンチが届かないので、本発明の「請求項２」に沿い、横巾の一部をＶ形等にカットして狭めることで、大小各種の本が手軽にクリップし易くなり、利用価値の高い見台を提供できる。
【背景技術】
【０００２】  この分野で古くから使われている折り畳み式見台は、開いたページが元に戻るのを防ぐ方法として、本を支える見台下端に、戻りを押さえる折り曲げ可変の付属部品を装着したものが主として市販されている。
【発明が解決しようとする課題】
【０００３】  従来市販の見台で開いた本のページ戻りを押さえる方法は、本の下端の一部を押さえても上端紙面が円弧状に膨らんで書見しにくい嫌いがあり、大小各種の本を平均的に安定して押さるのにも難点がある。
本発明はこのような欠点を補うためになされたものである。
【課題を解決するための手段】
【０００４】１）本発明の見台は、開いた本のページの戻りを押さえるのに、見台常備のクリップを利用する。単純ながら大小各種の本の端を自由に無理なくクリップで挟めて、紙面が比較的平らに保たれて見やすい書見が可能となる。
２）本発明の見台で、クリップが届かない横巾の広い見台は両端の一部をＶ形等にカットすることで、巾広く大小各種の本を無理せず手軽にクリップで挟むことが出来る。
３）本発明の見台に使用するクリップは、最低２個を見台底板上に即座に出し入れ出来るようにセットして保管する。
４）本発明の見台に使用するクリップは、市販の懐の深い物干し竿用「竿ピンチ」相当品を常備するが、竿ピンチそのものも利用可能で便利である。
【実施例】
【０００５】１）本発明の見台は、〔図１〕の本体１の表面下端に折り畳める本支持部３及び〔図３〕・〔図６〕に示す本体裏面に角度可変用支持板４を設け、底板２に数箇所の見易い角度に変更出来るストッパー５、並びにクリップ保管用の突起止め部６及びクリップ７をセットして構成する。
２）本発明の見台は利用に便利なＡ−４フアイルサイズの範囲内で考えたものであるが、そのうち最も巾の広いＡ−４フアイルサイズの長辺を横巾とする見台では、両端の一部を〔図２〕の８のようにカットすると、文庫本からＢ−５版本サイズまで、〔図９〕に例示のように、開いたページ端と対応する見台部分を苦労せずにクリップで挟むことが出来る。
３）本発明の見台の組立ては、〔図３〕の本体１を開き、裏側の角度可変用支時板４を、底板２上のストッパー５の何れかに差し込み、折り曲げ可能な本支持部３  を起こせば完了する。折り畳みは逆の手順で簡単に畳める。
４）本発明の見台が特徴とするページの戻りを押さえる方法は、クリップ７を底板２から取り出し、ページ端を対応する見台部分とクリップで挟んで書見する。
クリップを外してページをめくり、挟みを繰り返す動作も、それほど指の力を必要とせず、苦労せずに手っ取り早く扱うことが可能である。
５）本発明の見台材料は、硬質紙・プラスチックス・木材・金属等、必要な条件をクリアーすれば何れでも良いが、手や机に優しく、安全で軽くて扱い易い硬質紙・プラスチックスが最適である。
【発明の効果】
【０００６】１）本発明の見台を扱い易いＢ−５〜Ａ−４フアイルサイズ範囲内で作り、開いたページをクリップで挟むと、従来品のように下端の一部でなく、主としてページの両端または一端、あるいは上端の比較的外側部分をしっかりと押さえることが出来るので、文庫本からＢ−５版本まで（Ａ−４版本はやや難点がある）、何れのページも比較的平らに押さえられるので見易く安定した書見が可能である。
２）本発明の見台は、折り畳んだ厚さを２０〜３０ｍｍ程の範囲で製作可能なので本立てにも支障なく納まり、持ち運びも苦にならない。
３）本発明で使用するクリップは、選定したシングルタイプの竿ピンチ相当品を見台底板に〔図６〕の６のような突起に挟んで常備するので、左右の出し入れ操作は即座に簡単に出来る。万一紛失しても家庭用竿ピンチの利用が可能なので困らない。
【図面の簡単な説明】
【０００７】
【図１】  縦長見台の組み立て斜視図
【図２】  横長見台の組み立て斜視図（Ｖ形カット例）
【図３】  見台の組み立て側面図
【図４】  見台の本体正面図（Ｖ形カット例）
【図５】  見台の折り畳み側面図（クリップ保管）
【図６】  開いた見台平面図（Ｖ形カット例・クリップ保管）
【図７】  同上側面図
【図８】  縦長見台書見斜視図（クリップ挟み例）
【図９】  横巾カット見台書見斜視図（クリップ挟み例）
【符号の説明】
【０００８】  １  見台本体
２  見台底板
３  折り曲げ型本支持部
４  本体の角度可変用支持板
５  角度可変用支持板ストッパー
６  クリップ保管突起部
７  クリップ製品例
８  横長型見台の横巾一部カット例
【図１】
2016214800.tif 000003
【図２】
2016214800.tif 000004
【図３】
2016214800.tif 000005
【図４】
2016214800.tif 000006
【図５】
2016214800.tif 000007
【図６】
2016214800.tif 000008
【図７】
2016214800.tif 000009
【図８】
2016214800.tif 000010
【図９】
2016214800.tif 000011